【手続補正書】
【提出日】平成29年11月24日(2017.11.24)
【手続補正１】
【補正対象書類名】特許請求の範囲
【補正対象項目名】全文
【補正方法】変更
【補正の内容】
【特許請求の範囲】
【請求項１】
容器のためのオープニングデバイス（１）であって、
前記オープニングデバイス（１）は、
−  使用時に前記容器の内容物を注ぐために用いられる注ぎ口開口（１４）を規定する注ぎ口（１２）と；
−  前記注ぎ口開口（１４）を閉鎖する閉鎖要素（１５）であって、前記注ぎ口（１２）と一体構造で形成され、かつ破損可能な接続手段（１６）によって前記注ぎ口（１２）に接続される、閉鎖要素（１５）と；
−  前記注ぎ口開口（１４）を、その領域のうち前記閉鎖要素（１５）によって閉鎖される領域とは異なる領域において閉鎖するために、取り外し可能な様式で、前記注ぎ口（１２）に係合されるクロージャ（１８）と；
を備えており、
前記閉鎖要素（１５）は、突出部分（２４）と一体構造で形成されており、
前記突出部分（２４）は、前記閉鎖要素（１５）と前記クロージャ（１８）との間において前記注ぎ口開口（１４）を通って延在し、かつ前記閉鎖要素（１５）から離れた位置で前記クロージャ（１８）に溶着されることを特徴とするオープニングデバイス。
【請求項２】
前記クロージャ（１８）は、蓋（２５）と、前記蓋（２５）を前記突出部分（２４）に接続するための溶着促進手段（２６）と、を備えることを特徴とする請求項１に記載のオープニングデバイス。
【請求項３】
前記溶着促進手段は、前記蓋（２５）とは別個の、前記蓋（２５）に永続的に接続された溶着促進要素（２６）を備えることを特徴とする請求項２に記載のオープニングデバイス。
【請求項４】
前記溶着促進要素（２６）はシート要素（３１）を備えており、前記シート要素（３１）は、導電材料からなる層（３２）を含み、かつ前記導電材料からなる層（３２）での電流の誘起によって発生する熱によって前記突出部分（２４）に溶着されるよう構成された第１の面（３６）を有することを特徴とする請求項２または請求項３に記載のオープニングデバイス。
【請求項５】
前記シート要素（３１）は、前記導電材料からなる層（３２）の両面に配置されるヒートシールプラスチック材料からなる第１および第２の層（３４，３３）をさらに備えており；
ヒートシールプラスチック材料からなる前記第１の層（３４）は、前記第１の面（３６）を規定し、かつヒートシールプラスチック材料からなる前記第２の層（３３）は、前記第１の面（３６）とは反対側の、前記シート要素（３１）の第２の面（３５）を規定することを特徴とする請求項４に記載のオープニングデバイス。
【請求項６】
前記閉鎖要素（１５）は、前記注ぎ口（１２）の一方の端部（２２）を閉鎖し、かつ前記クロージャ（１８）は、前記注ぎ口（１２）の反対側の端部（２３）を閉鎖することを特徴とする請求項１から請求項５のいずれか一項に記載のオープニングデバイス。
【請求項７】
前記注ぎ口（１２）および前記閉鎖要素（１５）は、前記容器を形成するために折り曲げられ充填されかつシールされるよう構成されたシート状のパッケージング材料（３）に一体構造で成形されていることを特徴とする請求項１から請求項６のいずれか一項に記載のオープニングデバイス。
【請求項８】
前記蓋（２５）は、ねじタイプのものであり、かつ前記注ぎ口（１２）にねじ連結されることを特徴とする請求項２から請求項７のいずれか一項に記載のオープニングデバイス。
【請求項９】
前記蓋（２５）は、前記注ぎ口（１２）の前記注ぎ口開口（１４）を閉鎖する端部壁（２７）と、前記注ぎ口（１２）の外側ねじ（３０）にねじ連結される内側ねじ（２９）を有する側壁（２８）と、を備えることを特徴とする請求項８に記載のオープニングデバイス。
【請求項１０】
前記突出部分（２４）は、前記閉鎖要素（１５）と前記クロージャ（１８）との間に延在する２つの脚（３８）を備えることを特徴とする請求項１から請求項９のいずれか一項に記載のオープニングデバイス。
【請求項１１】
前記突出部分（２４）は、前記溶着促進要素（２６）に溶着された環状本体（３７）を含み、前記環状本体（３７）は、前記脚（３８）の第１の端部（３９）の各々に一体的に接続されており；かつ、
前記脚（３８）は前記第１の端部（３９）の反対側において個別の第２の端部（４０）を有しており、かつ前記閉鎖要素（１５）に一体的に接続されていることを特徴とする請求項１０に記載のオープニングデバイス。
【請求項１２】
容器のオープニングデバイス（１）のためのクロージャ（１８）であって、
前記クロージャ（１８）は、
前記オープニングデバイス（１）の注ぎ口（１２）に係合されるよう構成された蓋（２５）と、
前記オープニングデバイス（１）の閉鎖要素（１５）に前記蓋（２５）を接続するよう構成された溶着促進手段（２６）と、
を備えており、
前記溶着促進手段は、前記蓋（２５）とは別個でありかつ前記蓋（２５）に永続的に接続された溶着促進要素（２６）を備えることを特徴とするクロージャ。
【請求項１３】
前記溶着促進要素（２６）は、導電材料からなる層（３２）を含むシート要素（３１）を備えており、
前記層（３２）は、
−  前記導電材料からなる前記層（３２）に電流を誘起することによって発生される熱によって前記オープニングデバイス（１）の前記閉鎖要素（１５）に溶着されるよう構成された第１の面（３６）と；
−  前記第１の面（３６）の反対側にあり、かつ前記導電材料からなる層（３２）に電流を誘起することによって発生される熱によって前記オープニングデバイス（１）の前記蓋（２５）に溶着される第２の面（３５）と；
を有することを特徴とする請求項１２に記載のクロージャ。
【請求項１４】
前記シート要素（３１）は、前記導電材料からなる層（３２）の両面に配置されるヒートシールプラスチック材料からなる第１および第２の層（３４，３３）をさらに備えており；
前記ヒートシールプラスチック材料からなる第１の層（３４）は前記第１の面（３６）を規定し、かつ前記ヒートシールプラスチック材料からなる第２の層（３３）は前記第２の面（３５）を規定することを特徴とする請求項１３に記載のクロージャ。
【請求項１５】
容器のためのオープニングデバイス（１）を製造するための方法であって、
前記方法は、
−  使用時に前記容器の内容物を注ぐために用いる注ぎ口開口（１４）を規定する注ぎ口（１２）を形成するステップと；
−  閉鎖要素（１５）であって、前記注ぎ口開口（１４）を閉鎖し、前記注ぎ口（１２）と一体構造で形成され、かつ破損可能な接続手段（１６）によって前記注ぎ口（１２）に接続される閉鎖要素（１５）を形成するステップと；
−  前記注ぎ口開口（１４）を、その領域のうち前記閉鎖要素（１５）によって閉鎖される領域とは異なる領域において閉鎖するために前記注ぎ口（１２）にクロージャ（１８）を係合するステップと；
を含み、
前記閉鎖要素（１５）は、前記注ぎ口開口（１４）を通って延在する突出部分（２４）と一体構造で形成されており；
前記方法は、前記クロージャ（１８）を、前記閉鎖要素（１５）から離れた位置で前記突出部分（２４）に溶着するステップを含むことを特徴とする方法。
【請求項１６】
前記注ぎ口（１２）に係合される前に、前記クロージャ（１８）は、
−  蓋（２５）を形成するステップと；
−  前記蓋（２５）に溶着促進要素（２６）を挿入するステップと；
−  前記蓋（２５）に前記溶着促進要素（２６）を永続的に接続するステップと；
によって得られることを特徴とする請求項１５に記載の方法。
【請求項１７】
前記溶着促進要素（２６）は、導電材料からなる層（３２）を含むシート材料（３１）を備えており；
前記クロージャ（１８）を前記突出部分（２４）に溶着するステップは、前記シート材料（３１）の面（３６）を前記突出部分（２４）に溶着するために局所的な熱を発生させるよう、前記導電材料からなる層（３２）に電流を誘起するステップを含むことを特徴とする請求項１６に記載の方法。
【請求項１８】
前記溶着促進要素（２６）は、導電材料からなる層（３２）を含むシート材料（３１）を備えており；
前記溶着促進要素（２６）を前記蓋（２５）に永続的に接続する前記ステップは、前記シート材料（３１）の面（３５）を前記蓋（２５）に溶着するのに適した局所的な熱を発生させるために前記導電材料からなる層（３２）に電流を誘起することによって実施されることを特徴とする請求項１６に記載の方法。
【請求項１９】
容器（１００）のオープニングデバイス（１）のためのクロージャ（１８）を製造するための方法であって、前記方法は、
−  前記オープニングデバイス（１）の注ぎ口（１２）に係合されるよう構成された蓋（２５）を提供するステップと；
−  前記オープニングデバイス（１）の閉鎖要素（１５）に前記蓋（２５）を接続するよう構成された溶着促進手段（２６）を提供するステップと；
を含み、
前記溶着促進手段を提供するステップは、前記蓋（２５）とは異なる溶着促進要素（２６）を形成するステップを含み；
前記方法はさらに、前記蓋（２５）内に前記溶着促進要素（２６）を挿入ステップと、前記溶着促進要素（２６）を前記蓋（２５）に永続的に接続するステップと、を含むことを特徴とする方法。
【請求項２０】
前記溶着促進要素（２６）は、導電材料からなる層（３２）を含むシート材料（３１）を備えており；
前記溶着促進要素（２６）を前記蓋（２５）に永続的に接続する前記ステップは、前記シート材料（３１）の面（３５）を前記蓋（２５）に溶着するのに適した局所的な熱を発生させるために前記導電材料からなる層（３２）に電流を誘起することによって実施されることを特徴とする請求項１９に記載の方法。